(57)【要約】【課題】後処理用トレイの後端まで記録紙が搬入されたことを検出でき、かつ、後処理用トレイにおいて記録紙が所定の位置に正しく整合されたことを検出できる後処理装置を提供する。【解決手段】後処理用トレイ４２は、順次搬送される記録紙を載置する。整合部６１，６２は、後処理用トレイ４２に搬入された記録紙を後処理用の位置に整合する。第１検出部１２０は、後処理用トレイ４２の後端部まで搬入された記録紙を検出する。ＣＰＵ１００は、記録紙の大きさに対応して整合部６１，６２の動作を制御する。  本発明の後処理装置４に係る第１検出部１２０は、後処理用トレイ４２に搬入されてきた記録紙が後処理用トレイ４２の後端部に到達すると検出状態となり、その後記録紙が整合部６１，６２によって後処理用の位置に整合されると非検出状態となる位置に配置される。【選択図】図６
2010058876.tif 000002
【特許請求の範囲】
【請求項１】
順次搬入される記録媒体を載置する後処理用トレイと、
前記後処理用トレイに搬入された記録媒体を該記録媒体の搬入方向に直交する方向に移動して後処理用の位置に整合する整合手段と、
前記後処理用トレイの後端部まで搬入された記録媒体を検出する第１検出手段と、
を備え、
前記第１検出手段は、前記後処理用トレイに搬入されてきた記録媒体が前記後処理用トレイの後端部に到達すると検出状態となり、その後該記録媒体が前記整合手段によって後処理用の位置に整合されると非検出状態となる位置に配置される後処理装置。
【請求項２】
前記後処理用トレイから記録媒体が排出されたことを検出する第２検出手段をさらに備える請求項１に記載の後処理装置。
【請求項３】
前記整合手段は、一対で構成されており、該整合手段のそれぞれが独立して動作する請求項１または２に記載の後処理装置。
【請求項４】
請求項１〜３のいずれか１項に記載の後処理装置を備える画像形成装置。
【発明の詳細な説明】
【技術分野】
【０００１】
本発明は、記録媒体に対して綴じ処理や穴あけ処理等の後処理を行う後処理装置およびこの後処理装置を備える画像形成装置に関する。
【背景技術】
【０００２】
複写機等の画像形成装置は、印字された複数の記録媒体をステープル等の後処理を行った後、順次排紙トレイへ記録媒体を排出している。後処理装置は、後処理用トレイにおける記録媒体の揃え性を向上させるために、後処理用トレイの先端側が上向きに傾斜しているのが一般的である。これにより、後処理用トレイ上に排出・落下される記録媒体は、後処理用トレイの傾斜面に沿って滑り、後処理用トレイの後端側に突き当てられて記録媒体の後端が揃えられるようになっている。
【０００３】
しかし、後処理用トレイが傾斜していると、記録媒体の厚み方向に自重が十分にかからず、長手方向に自重がかかる。長手方向に自重がかかると、記録媒体は後処理装置の後端側において座屈を起こし、記録媒体の揃え精度が悪くなる。
【０００４】
そこで、記録媒体の揃え精度を向上させて信頼性の高いステープル処理を行うことができる後処理装置が開示されている（例えば、特許文献１参照。）。
【特許文献１】特開平１１−１３０３３８号公報
【発明の開示】
【発明が解決しようとする課題】
【０００５】
特許文献１をはじめとした従来技術では、画像形成装置本体から後処理装置へ記録媒体が搬入されたことを検出するために、後処理装置の入口にセンサを設ける構成が採用されている。しかし、この構成では、後処理装置へ記録媒体が搬入されたことは検知できるが、後処理用トレイの後端まで記録媒体が搬入されたかどうかまではわからない。また、後処理用トレイにおいて、ステープル等の後処理を行うために記録媒体を整合するが、所定の位置に正しく整合されたかどうかはわからない。
【０００６】
そこで本発明の目的は、上記課題に鑑み、後処理用トレイの後端まで記録媒体が搬入されたことを検出でき、かつ、後処理用トレイにおいて記録媒体が所定の位置に正しく整合されたことを検出できる後処理装置を提供することにある。
【課題を解決するための手段】
【０００７】
本発明の後処理装置は、後処理用トレイ、整合手段および第１検出手段を備える。
【０００８】
後処理用トレイは、順次搬入される記録媒体を載置する。整合手段は、後処理用トレイに搬入された記録媒体を記録媒体の搬入方向に直交する方向に移動して後処理用の位置に整合する。第１検出手段は、後処理用トレイの後端部まで搬入された記録媒体を検出する。
【０００９】
本発明の後処理装置に係る第１検出手段は、後処理用トレイに搬入されてきた記録媒体が後処理用トレイの後端部に到達すると検出状態となり、その後記録媒体が整合手段によって後処理用の位置に整合されると非検出状態となる位置に配置される。
【００１０】
この構成では、第１検出手段によって、後処理用トレイの後端まで記録媒体が搬入されたことを検出できる。したがって、後処理用トレイの後端部まで記録媒体を搬入させるための機構である例えばキャタピラベルトの回転を精度よく止めることができるため、キャタピラベルトの余分な回転による記録媒体のたわみを防止できるとともに装置全体の待ち時間を短縮できる。また、第１検出手段は、後処理用トレイに搬入されてきた記録媒体が後処理用トレイの後端部に到達すると検出状態となり、その後記録媒体が整合手段によって後処理用の位置に整合されると非検出状態となる位置に配置されるため、後処理用トレイにおいて記録媒体が所定の位置に正しく整合されたことを検出できる。
【００１１】
本発明の後処理装置は、後処理用トレイから記録媒体が排出されたことを検出する第２検出手段をさらに備えると好ましい。
【００１２】
この構成では、後処理用トレイから記録媒体を排出するための排出動作をしたときに、正しく後処理用トレイから記録媒体が排出されたかどうかを検出できる。
【００１３】
整合手段は、一対で構成されており、整合手段のそれぞれが独立して動作すると好ましい。
【００１４】
この構成では、記録媒体の整合位置を任意に決めることができるため、検出手段を検出状態から非検出状態へ精度よく移行させることができる。
【００１５】
本発明の後処理装置は、画像形成装置に備えられると好ましい。
【００１６】
この構成では、画像形成装置における後処理装置に本発明の後処理装置を適用することにより、画像形成装置において印刷処理された記録媒体を正確に後処理できる。
【発明の効果】
【００１７】
本発明における後処理装置は、後処理用トレイの後端まで記録媒体が搬入されたことを検出でき、かつ、後処理用トレイにおいて記録媒体が所定の位置に正しく整合されたことを検出できる。
【発明を実施するための最良の形態】
【００１８】
以下、本発明の最良の実施形態に係る後処理装置およびこの後処理装置を備える画像形成装置を、図面を参照にしつつ詳細に説明する。
【００１９】
図１は、本発明の実施形態に係る後処理装置を備える画像形成装置の構成を示す図である。
【００２０】
画像形成装置１は、記録紙（記録媒体）の給紙処理、印字処理および定着処理などを行う画像形成ユニット２と、原稿画像の読取処理などを行う画像読取ユニット３と、画像形成ユニット２から排出された記録紙に対して綴じ処理や穴あけ処理等の後処理を行う後処理装置４とで構成されている。
【００２１】
画像形成ユニット２は、外装ケーシング５内に給紙部６、印字部７、定着部８および排紙部９がそれぞれ組み込まれて構成される。給紙部６は、記録紙が収納される給紙カセット１０および給紙カセット１０内の記録紙を順次１枚ずつ分離して給送する給紙ローラで構成される。図１においては、複数の給紙カセット１０を有し、各給紙カセット１０内に収納される記録紙を選択的に給送可能な場合について示している。給紙カセット１０から給送された記録紙は、外装ケーシング５の上方に向けて形成された給紙経路１１を搬送される。給紙経路１１を搬送される記録紙の搬送先にレジストローラ１２が配設されている。レジストローラ１２による記録紙の搬送先に、印字部７が設けられている。
【００２２】
印字部７は、静電印刷、インクジェット印刷、シルクスクリーン印刷など種々の印刷機構で構成することが可能であるが、図１においては静電印刷機構を示している。印字部７は、静電ドラム１３、印字ヘッド１４、現像器１５、転写チャージャ１６およびクリーニングヘッド１７で構成される。まず、画像読取ユニット３から読み込んだ画像データが順次印字ヘッド１４に送られる。印字ヘッド１４は、画像データに応じてレーザ光などの光を静電ドラム１３に照射することで潜像を形成する。現像器１５が静電ドラム１３に形成した潜像に対してトナーを付着させ、転写チャージャ１６が静電ドラム１３上のトナーを搬送される記録紙に転写することで記録紙上に画像が形成される。なお、記録紙の先端を転写領域に送り込むタイミングはレジストローラ１２により制御される。クリーニングヘッド１７は、転写後に静電ドラム１３に残存するトナーを除去する。
【００２３】
印字部７からの記録紙の送り先に定着部８が設けられている。定着部８は、一対の定着ローラ１８を備え、この定着ローラ１８で記録紙上に形成された画像を加熱定着する。定着ローラ１８は、１５０℃〜２００℃の熱を記録紙上の画像に付加してトナーを凝固する。定着部８で定着処理が施された記録紙は、排紙部９に送り込まれる。排紙部９は、後処理装置４に向けて形成された排紙口１９に記録紙を案内する排紙経路２０と、この排紙経路２０上に設けられた一対の排紙ローラ２１とで構成される。排紙部９に送り込まれた記録紙は、排紙経路２０を搬送され、排紙ローラ２１により排紙口１９から後処理装置４に排出される。
【００２４】
画像読取ユニット３は、画像形成ユニット２の上部に配置され、画像を読み取るスキャナとして広く知られている。画像読取ユニット３は、上面に原稿載置台２２が形成されたケーシング２３を有している。ケーシング２３の内部には、ガラスなどで形成したプラテンが設けられ、このプラテンの下部に光源ランプ、結像レンズなどの光学機構および光電変換素子が設けられている。一方、プラテンの上方には原稿載置台２２上の原稿をプラテンに順次搬送するフィーダが設けられている。フィーダでプラテン上に搬送した原稿に対して光源ランプで光を照射し、その反射光をミラー、レンズなどの結像光学機構でラインセンサその他の光電変換素子に結像することで画像を電気的に読み取るようになっている。
【００２５】
図２は、本発明の実施形態に係る後処理装置が画像形成装置に組み込まれている図である。
【００２６】
後処理装置４は、画像形成ユニット２と画像読取ユニット３との間に配置され、画像形成ユニット２から引き出し可能に組み込まれている。なお、ここでは、画像形成ユニット２から引き出した状態について示している。後処理装置４は、画像形成ユニット２から送り込まれた記録紙を搬送する搬送経路が形成されたシート搬送部４１と、シート搬送部４１により順次搬送された記録紙を一時的に載置する後処理用トレイ４２と、後処理用トレイ４２上の記録紙の側端をガイドする整合部６１，６２（整合部６２は、後処理用トレイ４２において整合部６１の反対側にある。）と、後処理用トレイ４２上に載置された記録紙に綴じ処理や穴あけ処理等の後処理を施す後処理部４３と、後処理が施された後の記録紙束が排出される集積トレイ４４とを備える。後処理装置４が画像形成ユニット２に押し込まれた状態において、シート搬送部４１に形成される搬送経路は、画像形成ユニット２の排出口１９に連結されるように構成されている。なお、矢印Ａは、記録紙がシート搬送部４１から後処理用トレイ４２に搬送される経路を示し、矢印Ｂは、記録紙が後処理用トレイ４２から集積トレイ４４に搬送される経路を示す。
【００２７】
図３は、本発明の実施形態に係る後処理装置の構成を示す図である。
【００２８】
シート搬送部４１には、画像形成ユニット２から送り込まれた記録紙を水平方向に搬送する搬送経路４５が形成されている。この搬送経路４５上に搬送ローラ４６，４７が、ローラの一部を搬送経路４５上に露出するように取り付けられている。搬送ローラ４６よりもわずかに記録紙の搬送方向下流側に、搬送される記録紙の先端および後端を検出する入口検出部１１０が設けられている。
【００２９】
搬送ローラ４７は、搬送経路４５の終端部近傍に取り付けられ、記録紙を後処理用トレイ４２に排出する。搬送ローラ４７のうち下側に配置されたローラには、位置決め部５５に記録紙を移送するとともに、後処理用トレイ４２上の記録紙を集積トレイ４４側に送り出すキャタピラベルト４８が取り付けられている。キャタピラベルト４８の他端は、搬送ローラ４７の下側のローラ軸４７ａに揺動自在に軸承した支持アーム４９に取り付けたプーリ５０に取り付けられている。ローラ軸４７ａを中心にキャタピラベルト４８は揺動自在に支持され、その先端は後処理用トレイ４２に載置された記録紙上に当接し、基端部をローラ軸４７ａによって回転駆動される。
【００３０】
搬送ローラ４７から一定距離離れた位置に排紙ローラ５１が取り付けられている。排紙ローラ５１は、後処理用トレイ４２に載置された記録紙を集積トレイ４４に排出する際に用いられる。排紙ローラ５１のうち上側に配置された排紙ローラ５１ａは、一定距離離れた位置に設けられた駆動ローラ５２のローラ軸５３を支点として上下方向に揺動可能に構成されたシート排紙機構５４の先端部に取り付けられている。シート排出機構５４は、後処理用トレイ４２上の記録紙を集積トレイ４４に排出する際、排紙ローラ５１ａを当該記録紙位置まで下降させる。なお、排紙ローラ５１ａおよび駆動ローラ５２には、伝達ベルトが巻回され、駆動ローラ５２の回転駆動力が排紙ローラ５１ａに伝達されるようになっている。排紙ローラ５１のうち下側に配置された排紙ローラ５１ｂは、駆動源をもっていない。排紙ローラ５１ｂは、後処理用トレイ４２上の記録紙を集積トレイ４４に排出する際に、記録紙がスムーズに排出されるように回転自在となっている。
【００３１】
シート排紙機構５４の下方側に後処理用トレイ４２が配置されている。後処理用トレイ４２は、図示左方側が上方に傾斜した状態で取り付けられている。後処理用トレイ４２に排出された記録紙は、自重およびキャタピラベルト４８の駆動力により図示右方側の後端部まで移動する。後処理用トレイ４２の後端部には、記録紙の搬入方向に直交する方向に沿って複数の位置決め部５５が取り付けられている。位置決め部５５は、後処理用トレイ４２の先端部側に向けて開口する断面略コ字型の形状を有する。位置決め部５５に記録紙の先端が当接することで、後処理用トレイ４２上の記録紙の位置が決定される。なお、図３においては、位置決め部５５により位置決めされた記録紙束の例を二点鎖線で示している。
【００３２】
後処理用トレイ４２の後端部の先に、後処理部４３が配置されている。後処理部４３は、その上部左方側に後処理トレイ４２の後端部を収容する収容部４３ａを有し、後処理用トレイ４２上の記録紙の所定位置に対して後処理を施す。
【００３３】
上記の構成を備えた後処理装置４において、記録紙は、搬送経路４５を搬送されてきて後処理用トレイ４２に搬入される。その後記録紙は、整合部６１，６２によって整合される。順次搬入される記録紙に対して上記の処理を行い、記録紙の搬入が終わると後処理部４３は記録紙の所定位置に対して後処理を施す。
【００３４】
図４は、本発明の実施形態に係る後処理装置における主要部の構成を示すブロック図である。
【００３５】
後処理装置４は、ＣＰＵ１００、入口検出部１１０、第１検出部（第１検出手段）１２０、第２検出部（第２検出手段）１３０、整合部（整合手段）６１，６２、キャタピラベルト４８およびタイマ１４０を備える。
【００３６】
ＣＰＵ１００は、入口検出部１１０、第１検出部１２０および第２検出部１３０から検出信号が入力され、それに基づいて整合部６１，６２、キャタピラベルト４８およびタイマ１４０を総括的に制御する。入口検出部１１０は、後処理装置４の入口近傍に設けられ、記録紙が後処理装置４に搬送されたことを検出する。第１検出部１２０は、後処理用トレイ４２の後端部に設けられ、記録紙が後処理用トレイ４２の後端部まで到達したことを検出する。この検出は、第１検出部１２０が非検出状態（以下、ＯＦＦと表す。）から検出状態（以下、ＯＮと表す。）に移行することによってなされる。また、第１検出部１２０は、後処理用トレイ４２において記録紙が所定の位置に正しく整合されたことを検出する。この検出は、第１検出部１２０が検出状態から非検出状態に移行することによってなされる。第２検出部１３０は、後処理用トレイ４２の後端部に設けられ、後処理用トレイ４２から記録紙が正しく排出されたことを検出する。なお、本実施形態では第１検出部１２０および第２検出部１３０は接触型のセンサとしているが、非接触型のセンサであってもよい。整合部６１，６２は、後処理用トレイ４２の側部に設けられ、後処理用トレイ４２に搬送された記録紙を所定の位置に整合する。整合部６１，６２は、本実施形態では独立して動作するが、これに限るものではない。キャタピラベルト４８は、後処理用トレイ４２に記録紙が搬送されるとキャタピラベルト４８の先端が記録紙に当接する。キャタピラベルト４８は、後処理用トレイ４２に搬送された記録紙を後処理用トレイ４２の後端部まで移動させるために回転する。タイマ１４０は、入口検出部１１０が検出状態から非検出状態に移行してから計時を開始し、キャタピラベルト４８の駆動開始タイミングを計るとともに後処理用トレイ４２に記録紙が正しく搬送されたかどうかをＣＰＵ１００に判断させる。
【００３７】
図５は、本発明の実施形態に係る後処理装置のフローを示すフローチャートである。
【００３８】
画像形成装置１本体で画像形成された記録紙は、後処理装置４へ搬送される。ＣＰＵ１００は、後処理装置４へ搬送されてきた記録紙によって入口検出部１１０がＯＮすると（Ｓ１０）、記録紙の後端が通過して入口検出部１１０がＯＦＦするまで待機する（Ｓ２０）。ＣＰＵ１００は、入口検出部１１０がＯＦＦすると、タイマ１４０によって計時されている時間Ｔをリセットする（Ｓ３０）。ＣＰＵ１００は、時間Ｔがリセットされると、タイマ１４０に時間Ｔの計時を開始するよう命令する（Ｓ４０）。ＣＰＵ１００は、記録紙が後処理用トレイ４２に搬送されるまでの時間を表す時間Ｔ１が経過すると（Ｓ５０）、記録紙を後処理用トレイ４２の後端部まで移動させるためにキャタピラベルト４８の駆動を開始する（Ｓ６０）。ＣＰＵ１００は、キャタピラベルト４８の駆動によって記録紙が後処理用トレイ４２の後端部まで搬入されて第１検出部１２０がＯＮして（Ｓ７０）、さらに第２検出部１３０がＯＮすると（Ｓ８０）、キャタピラベルト４８の駆動を停止させる（Ｓ９０）。ＣＰＵ１００は、キャタピラベルト４８の駆動を停止させた後、整合部６１，６２で記録紙を整合する（Ｓ１００）。記録紙が正しく整合されると、第１検出部１２０がＯＮからＯＦＦに移行する。ＣＰＵ１００は、記録紙が整合されて第１検出部１２０がＯＦＦしたかどうかを判別する（Ｓ１１０）。ＣＰＵ１００は、第１検出部１２０がＯＦＦすると、次の記録紙が後処理装置４に搬送されてくるかどうかを判別する（Ｓ１２０）。ＣＰＵ１００は、後処理装置４に搬送されてくる記録紙がない場合、後処理部４３にステープル針を打ち出して記録紙に後処理を施すよう命令する（Ｓ１３０）。ＣＰＵ１００は、記録紙に後処理を施した後、シート排紙機構５４を下降させ、排紙ローラ５１ａを記録紙に当接させる。そして、ＣＰＵ１００は、排紙ローラ５１ａを回転させることで、後処理用トレイ４２上の記録紙が集積トレイ４４に排出される（Ｓ１４０）。ＣＰＵ１００は、後処理用トレイ４２上の記録紙が確実に集積トレイ４４に排出されたかどうかを判断するため、第２検出部１３０がＯＦＦしたかどうかを判別する（Ｓ１５０）。
【００３９】
ＣＰＵ１００は、Ｓ７０において第１検出部１２０がＯＮするまで許容される時間Ｔ２が経過するまで（Ｓ１６０）、第１検出部１２０がＯＮしたかどうかを判別する。ＣＰＵ１００は、時間Ｔ２が経過しても第１検出部１２０がＯＮしない場合は、後処理装置４に異常が起きたと判断して後処理装置４を強制停止させる（Ｓ１８０）。
【００４０】
ＣＰＵ１００は、Ｓ８０において第２検出部１３０がＯＮするまで許容される時間Ｔ３が経過するまで（Ｓ１７０）、第２検出部１３０がＯＮしたかどうかを判別する。ＣＰＵ１００は、時間Ｔ３が経過しても第２検出部１３０がＯＮしない場合は、後処理装置４に異常が起きたと判断して後処理装置４を強制停止させる（Ｓ１８０）。
【００４１】
ＣＰＵ１００は、Ｓ１１０において、記録紙を整合した後に第１検出部１２０がＯＦＦしない場合は、後処理装置４に異常が起きたと判断して後処理装置４を強制停止させる（Ｓ１８０）。
【００４２】
ＣＰＵ１００は、Ｓ１５０において、記録紙を排出した後に第２検出部１３０がＯＦＦしない場合は、後処理装置４に異常が起きたと判断して後処理装置４を強制停止させる（Ｓ１８０）。
【００４３】
図６は、本発明の実施形態に係る後処理装置における後処理用トレイに記録紙が搬送されてきた図である。
【００４４】
入口検出部１１０を通過した記録紙は、後処理用トレイ４２に搬送される。後処理用トレイ４２に搬送した記録紙は、キャタピラベルト４８によって後処理用トレイ４２の後端部まで移動する。すると、第１検出部１２０および第２検出部１３０が記録紙を検出してＯＮ状態となる。ここでは、整合部６１，６２は、初期位置のホームポジションに位置している。
【００４５】
図７は、本発明の実施形態に係る後処理装置における後処理用トレイにおいて整合部が動作した図である。
【００４６】
ここでは、整合部６１，６２は、ホームポジションに比べて整合部６１が後処理用トレイ４２の内側に移動している待機ポジションに位置している。整合部６１側には後処理部４３が配置されているため、待機ポジションでは、整合部６１を先に移動させて記録紙の整合位置を決定する。ここでは、記録紙が後処理用トレイ４２に搬入されてから整合部６１を移動させているが、これに限るものではない。記録紙の搬入間隔は短時間であるため、記録紙が搬送される前に予め整合部６１，６２を待機ポジションに位置させておけば、効率的に記録紙を整合できる。
【００４７】
図８は、本発明の実施形態に係る後処理装置における後処理用トレイにおいて整合部が動作した図である。
【００４８】
ここでは、整合部６１，６２は、待機ポジションに比べて整合部６２が後処理用トレイ４２の内側に移動している整合ポジションに位置している。記録紙を整合すると、第１検出部１２０がＯＮからＯＦＦへと移行する。これによって、記録紙が正しく整合されたことがわかる。ここで、記録紙を整合しても第１検出部１２０がＯＦＦしなければ、ＣＰＵ１００は、後処理装置４に異常が起きたと判断して後処理装置４を強制停止する。
【００４９】
図９は、本発明の実施形態に係る後処理装置における後処理用トレイから記録紙が排出される図である。
【００５０】
後処理装置４に搬送された記録紙が全て整合されると、後処理部４３によって後処理され、シート排紙機構５４によって排出される。このとき、第２検出部１３０がＯＮからＯＦＦへと移行する。これによって、記録紙が確実に排出されたことがわかる。ここで、記録紙の排出動作をしても第２検出部１３０がＯＦＦしなければ、ＣＰＵ１００は、後処理装置４に異常が起きたと判断して後処理装置４を強制停止する。
【００５１】
図１０は、本発明の第２の実施形態に係る後処理装置における後処理用トレイに記録紙が搬入されてきた図である。
【００５２】
ここでは、後処理用トレイ４２に、記録紙の大きさに合わせて第１検出部１２１を新たに設けている。図１０のように第１検出部１２１に対応した記録紙が後処理用トレイ４２に搬入されてきた場合、ＣＰＵ１００は、第１検出部１２１のＯＮ・ＯＦＦを判別して記録紙が正しく整合されたかどうかを判断する。本実施形態のように記録紙の大きさにあわせて第１検出部を複数設けることにより、様々な大きさの記録紙が正しく整合されたかどうかを判断できる。また、第１検出部１２０，１２１の他にも複数の第１検出部を設けると好ましい。
【００５３】
本発明では、後処理用トレイ４２への記録紙の幅方向における搬入位置と整合部６１，６２による記録紙の幅方向における整合位置とがずれていなければならない。ここで、記録紙の搬入位置と整合位置とが等しい場合は、第１検出部１２０（１２１）がＯＮからＯＦＦに移行しないため、ＣＰＵ１００は、記録紙が正しく整合されたかどうかを判断できない。
【００５４】
また、本発明では、記録紙が後処理用トレイ４２のどの位置に搬入されるかによって整合部６１と整合部６２の動作条件が変わる。記録紙が後処理用トレイ４２の幅方向におけるセンター位置に搬入される場合には、第１検出部１２０（１２１）をＯＮからＯＦＦに移行させるため、整合部６１と整合部６２は互いに異なる移動量を確保しなければならない。また、記録紙が後処理用トレイ４２の幅方向におけるセンター位置とは異なる位置に搬入される場合には、整合部６１と整合部６２の移動量とは関係なく第１検出部１２０（１２１）がＯＮからＯＦＦに移行するため、整合部６１と整合部６２は移動量の制限がない。
【００５５】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００５６】
【図１】本発明の実施形態に係る後処理装置を備える画像形成装置の構成を示す図である。
【図２】本発明の実施形態に係る後処理装置が画像形成装置に組み込まれている図である。
【図３】本発明の実施形態に係る後処理装置の構成を示す図である。
【図４】本発明の実施形態に係る後処理装置における主要部の構成を示すブロック図である。
【図５】本発明の実施形態に係る後処理装置のフローを示すフローチャートである。
【図６】本発明の実施形態に係る後処理装置における後処理用トレイに記録紙が搬送されてきた図である。
【図７】本発明の実施形態に係る後処理装置における後処理用トレイにおいて整合部が動作した図である。
【図８】本発明の実施形態に係る後処理装置における後処理用トレイにおいて整合部が動作した図である。
【図９】本発明の実施形態に係る後処理装置における後処理用トレイから記録紙が排出される図である。
【図１０】本発明の第２の実施形態に係る後処理装置における後処理用トレイに記録紙が搬入されてきた図である。
【符号の説明】
【００５７】
１−画像形成装置
４−後処理装置
４２−後処理用トレイ
６１，６２−整合部
１２０，１２１−第１検出部
１３０−第２検出部
【図１】
2010058876.tif 000003
【図２】
2010058876.tif 000004
【図３】
2010058876.tif 000005
【図４】
2010058876.tif 000006
【図５】
2010058876.tif 000007
【図６】
2010058876.tif 000008
【図７】
2010058876.tif 000009
【図８】
2010058876.tif 000010
【図９】
2010058876.tif 000011
【図１０】
2010058876.tif 000012